(57)【特許請求の範囲】
【請求項１】
透明ディスプレイと、
前記透明ディスプレイの少なくとも一辺を除く側面を覆う枠部材と、
透明樹脂からなるものであり、前記透明ディスプレイの表示面に設置される略平坦な平面部と、前記平面部の端部に設けられ前記枠部材で覆われていない前記透明ディスプレイの側面を覆う略平坦な側面部とを有する保護カバーと、
を備える透明表示装置であって、
前記透明ディスプレイの側面と当該側面と対向する前記保護カバーの側面部との隙間が前記透明ディスプレイの板厚以下で、かつ前記側面と対向する前記保護カバーの側面部の厚さが前記透明ディスプレイの板厚以上であることを特徴とする透明表示装置。
【請求項２】
前記透明ディスプレイの側面と当該側面と対向する前記保護カバーの側面部との隙間は、前記透明ディスプレイの表示面側に比べて、前記表示面の裏面側の方が広くなっていることを特徴とする請求項１に記載の透明表示装置。
【請求項３】
前記透明ディスプレイの側面と対向する前記保護カバーの側面部は、前記透明ディスプレイの表示面側から前記表示面の裏面側の方に向かって傾斜していることを特徴とする請求項２に記載の透明表示装置。
【請求項４】
前記透明ディスプレイは、少なくとも発光層を挟む二枚の透明なガラスを有し、前記二枚のガラスの側面と前記保護カバーの側面部との隙間は、前記保護カバーの前記平面部側に配置されるガラスに比べて他方のガラス方が広いことを特徴とする請求項２に記載の透明表示装置。
【請求項５】
透明ディスプレイと、
前記透明ディスプレイの少なくとも一辺を除く側面を覆う枠部材と、
透明樹脂からなるものであり、前記透明ディスプレイの表示面に設置される略平坦な平面部と、前記平面部の端部に設けられ前記枠部材で覆われていない前記透明ディスプレイの側面を覆う略平坦な側面部とを有する保護カバーと、
を備える透明表示装置であって、
前記透明ディスプレイの側面と当該側面と対向する前記保護カバーの側面部との隙間は、前記透明ディスプレイの表示面と前記保護カバーの平坦部との隙間に前記透明ディスプレイの板厚を加えた長さ以下であることを特徴とする請求項１に記載の透明表示装置。
【発明の詳細な説明】
【技術分野】
【０００１】
本発明は、透明表示装置に関するものである。
【背景技術】
【０００２】
従来、透明表示装置の１つにＥＬ（Electro Luminescence）表示装置がある。これはパネルがＥＬ素子にて形成された透明な表示部として構成されているものである。
【０００３】
ＥＬ表示装置に用いられるパネル（以下では、ＥＬパネルと呼ぶ）は、ガラス基板の上に第１電極、第１絶縁膜、発光層、第２絶縁膜、第２電極、接着剤、カバーガラスが積層された構成となっている。特に、第１電極および第２電極をＩＴＯ（Indium Tin Oxide）等の透明電極で形成することで、透明な表示部としてのＥＬパネルを構成できることが知られている。
【特許文献１】特許第２８４８２３６号公報
【発明の開示】
【発明が解決しようとする課題】
【０００４】
上述のようなＥＬパネルを用いた透明表示装置の構造としては、少なくともＥＬパネル端部の一辺に枠がないようにすると、開放感が得られ透明表示装置の特徴が活かせるので好ましい。ところが、ＥＬパネルなどは、端面発光と呼ばれる端部が表示の内容に応じて発光してしまう現象があり、端部を露出させると端面発光が目立ち違和感がある。
【０００５】
本発明は、上記問題点に鑑みなされたものであり、少なくとも一辺に枠を設けることなく、端面発光が目立ちにくくすることができる透明表示装置を提供することを目的とする。
【課題を解決するための手段】
【０００６】
上記目的を達成するために請求項１に記載の透明表示装置は、透明ディスプレイと、透明ディスプレイの少なくとも一辺を除く側面を覆う枠部材と、透明樹脂からなるものであり、透明ディスプレイの表示面に設置される略平坦な平面部と、平面部の端部に設けられ枠部材で覆われていない透明ディスプレイの側面を覆う略平坦な側面部とを有する保護カバーとを備える透明表示装置であって、透明ディスプレイの側面とその側面と対向する保護カバーの側面部との隙間が透明ディスプレイの板厚以下で、かつ側面と対向する保護カバーの側面部の厚さが透明ディスプレイの板厚以上であることを特徴とするものである。
【０００７】
このようにすることによって、保護カバーにおける透明ディスプレイの側面と対向する面での屈折により、表示面側から透明表示装置を見た場合、透明ディスプレイの端面が見える範囲が狭くなるので、少なくとも一辺に枠を設けることなく、端面発光が目立ちにくくすることができる。
【０００８】
また、透明ディスプレイを保護カバーで覆うことで、強度が向上するので、透明ディスプレイの割れ等の対策に有効である。
【０００９】
また、請求項２に示すように、透明ディスプレイの側面とその側面と対向する保護カバーの側面部との隙間は、透明ディスプレイの表示面側に比べて、表示面の裏面側の方が広くなるようにしてもよい。
【００１０】
このようにすることによって、より一層透明ディスプレイの端面が見える範囲を狭くできるので好ましい。
【００１１】
また、このような関係の隙間を持たせるためには、請求項３に示すように、透明ディスプレイの側面と対向する保護カバーの側面部は、透明ディスプレイの表示面側から表示面の裏面側の方に向かって傾斜するようにしてもよい。このようにしても、より一層透明ディスプレイの端面が見える範囲を狭くできるという効果を奏することができる。
【００１２】
また、請求項４に示すように、透明ディスプレイは、少なくとも発光層を挟む二枚の透明なガラスを有し、二枚のガラスの側面と保護カバーの側面部との隙間は、保護カバーの平面部側に配置されるガラスに比べて他方のガラス方が広くなるようにしてもよい。このようにしても、より一層透明ディスプレイの端面が見える範囲を狭くできるという効果を奏することができる。
【００１３】
また、請求項５に示すように、透明ディスプレイと、透明ディスプレイの少なくとも一辺を除く側面を覆う枠部材と、透明樹脂からなるものであり、透明ディスプレイの表示面に設置される略平坦な平面部と、平面部の端部に設けられ枠部材で覆われていない透明ディスプレイの側面を覆う略平坦な側面部とを有する保護カバーとを備える透明表示装置であって、透明ディスプレイの側面とその側面と対向する保護カバーの側面部との隙間は、透明ディスプレイの表示面と保護カバーの平坦部との隙間に透明ディスプレイの板厚を加えた長さ以下であることを特徴とするものである。
【００１４】
このようにすることによって、保護カバーにおける透明ディスプレイの側面と対向する面での屈折により、表示面側から透明ディスプレイを見た場合、透明ディスプレイの端面が見える範囲が狭くなるので、少なくとも一辺に枠を設けることなく、端面発光が目立ちにくくすることができる。
【発明を実施するための最良の形態】
【００１５】
以下、本発明の実施の形態を図に基づいて説明する。
【００１６】
図１は、本発明の実施の形態における透明表示装置の概略構成を示す斜視である。図２は、本発明の実施の形態における透明ディスプレイの概略構成を示す斜視図である。図３は、本発明の実施の形態における保護カバーの概略構成を示す斜視図である。図４は、本発明の実施の形態における透明表示装置の部分断面図である。図５は、本発明の実施の形態における透明表示装置の部分断面図である。
【００１７】
図１などに示すように、本実施の形態における透明表示装置１００は、透明ディスプレイ１０と、透明樹脂からなる保護カバー２０と、不透明な部材からなる枠部材３１〜３３とを含む。
【００１８】
透明ディスプレイ１０は、図２に示すように、表示部、電極などが透明な部材から構成されるものであり、例えば、無機ＥＬディスプレイ、有機ＥＬディスプレイなどを採用することができる。つまり、透明ディスプレイ１０は、表示面１５側から透明ディスプレイ１０の裏面１６（表示面の反対面）側にある構造物や意匠が透明ディスプレイ１０を通してみることができる。したがって、透明ディスプレイ１０の表示領域１５１に画像などを表示している場合は、表示されている画像と共に、透明ディスプレイ１０の背面（表示面の反対面）側にある構造物や意匠が透明ディスプレイ１０を通してみることができる。当然ながら、透明ディスプレイ１０は、裏面１６側から透明ディスプレイ１０の表示面１５側にある構造物や意匠が透明ディスプレイ１０を通してみることができる。
【００１９】
また、透明ディスプレイ１０は、図４などに示すように、少なくとも発光層１１１を二枚のガラス（カバーガラス１１２、ガラス基板１１３）で挟んだ構造をなすものである。そして、透明ディスプレイ１０は、側面１１，１２，１３，１４からも光を発光するものである。これは、透明ディスプレイ１０の表示領域１５１に画像などを表示する際に、発光層１１１からの光が側面１１，１２，１３，１４からもれでるからである。なお、透明ディスプレイ１０の詳しい構造に関しては、特開２００５―１１５２４２号公報を参照されたい。
【００２０】
保護カバー２０は、図１、図２に示すように、透明樹脂からなるものであり、透明ディスプレイ１０の表示面に設置される略平坦な表示面カバー部（平面部）２１と、表示面カバー部２１の端部に設けられ不透明な枠部材３１〜３３で覆われていない透明ディスプレイ１０の側面（側面１４）を覆う略平坦な端面カバー部（側面部）２２とを有する。保護カバー２０は、表示面カバー部２１と端面カバー部（側面部）２２とは、略Ｌ字形状をなすものである。また、保護カバー２０の材料は、例えば、アクリルやポリカーボネートなどを採用することができる。屈折率の範囲は、例えば１．４〜１．７程度である。なお、透明ディスプレイ１０の表示面１５と保護カバー２０の表示面カバー部（平面部）２１の内側面２１１とは略平行である。
【００２１】
したがって、透明表示装置１００は、透明ディスプレイ１０の表示面１５に対向する視認面１１０側から透明ディスプレイ１０の裏面１６（表示面の反対面）側にある構造物や意匠が透明表示装置１００（透明ディスプレイ１０と保護カバー２０）を通してみることができる。また、当然ながら、透明表示装置１００は、裏面側（裏面１６側）から視認面１１０側にある構造物や意匠が透明表示装置１００（透明ディスプレイ１０と保護カバー２０）を通してみることができる。
【００２２】
枠部材３１〜３３は、透明ディスプレイ１０の端部領域に配置される透明電極の端子やドライバーなどを隠すために設けられる。つまり、透明ディスプレイ１０の電極の取り出しがあるため三辺は不透明部材で隠す。この枠部材３１〜３３は、透明ディスプレイ１０の３つの側面１１，１２，１３のみを覆うように配置する。このように、透明ディスプレイ１０の少なくとも一辺（側面１４）に枠部材を配置しないように（少なくとも一辺を除く側面を覆うように配置）すると、開放感が得られ透明表示装置１００の特徴が活かせるので好ましい。
【００２３】
しかしながら、透明ディスプレイ１０の側面１１〜１４からの光（端面発光）は、枠部材３１〜３３が配置された側面１１〜１３では枠部材３１〜３３によって遮光されるが、枠部材を配置されない側面１４では遮光されない。したがって、透明ディスプレイ１０の少なくとも一辺に枠部材を配置しないようにすると開放感は得られるものの、透明ディスプレイ１０の少なくとも一辺（側面１４）から光がでることとなる。つまり、表示領域１５１に画像などを表示する場合に、その表示領域１５１に表示した画像などの光以外の光が透明ディスプレイ１０の側面１４（表示領域１５１以外）から出ていることになる。これは、透明表示装置１００を観ているユーザーに違和感を与える可能性がある。
【００２４】
そこで、本実施の形態における透明表示装置１００は、図４、図５に示すように、透明ディスプレイ１０の側面１４と側面１４と対向する保護カバー２０の端面カバー部（側面部）２２の内側面２１１との隙間Ｂが透明ディスプレイ１０の板厚Ａ以下で、かつ側面１４と対向する保護カバー２０の端面カバー部（側面部）２２の厚さＣが透明ディスプレイ１０の板厚Ａ以上とする。
【００２５】
また、透明ディスプレイ１０の側面１４と側面１４と対向する保護カバー２０の端面カバー部２２の内側面２１１との隙間Ｂは、透明ディスプレイ１０の表示面１５と保護カバー２０の表示面カバー部２１の内側面２１１との隙間Ｅに透明ディスプレイ１０の板厚Ａを加えた長さ以下であってもよい。
【００２６】
ここで、図５に示す上述の関係を満たして構成された本実施の形態の透明表示装置１００と、図８に示す保護カバーを設けない場合の透明表示装置（比較例）との側面１４の見える範囲を比べてみる。この図５と図８から、透明表示装置１００の視認面１１０側から透明ディスプレイ１０の側面１４が見える範囲は、図８に示す比較例の範囲Ｆ’に比べて図５に示す本実施の例の透明表示装置１００の範囲Ｆのほうが狭くなっているのがわかる（なお、図５および図８では、ユーザから見た透明表示装置１００の視認面１００との角度は共通であるとする）。つまり、見える範囲が狭いので、側面１４からの発光（端面発光）が目立たなくなる。
【００２７】
これは、保護カバー２０の視線が入射する面と出射する面の角度が直角以下であることを利用しているので、次の場合は効果がでない。透明ディスプレイ１０の側面１４と側面１４と対向する保護カバー２０の端面カバー部（側面部）２２の内側面２１１との隙間Ｂが透明ディスプレイ１０の板厚Ａよりも広いと、視線が保護カバー２０の前面辺から透明ディスプレイ１０の側面１４を見ることになり、角度が平行になるのでるので効果が無い。側面１４と対向する保護カバー２０の端面カバー部（側面部）２２の厚さＣが透明ディスプレイ１０の板厚Ａよりも薄い場合も入射する面と出射する面が平行になるので効果が無い。
【００２８】
つまり、側面１４から出た光の保護カバー２０に対する入射角と出射角との関係は、表示面カバー部２１と端面カバー部２２とで同じである。しかしながら、角部Ｄを境に所定の角度（本実施の形態では略直角）で形成された表示面カバー部２１と端面カバー部２２とでは、側面１４から出た光の入射角が異なるものである。したがって、透明表示装置１００が上述のような関係を満たすことによって、透明ディスプレイ１０の側面１４から出た光は、表示面カバー部２１と端面カバー部２２との角部Ｄを境に視認面１１０側に進む光量が保護カバー２０の端面側に進む光量より少なくなる。
【００２９】
このようにすることによって、保護カバー２０における透明ディスプレイ１０の側面１４と対向する面での屈折により、表示面１５側（視認面１１０側）から透明表示装置１００を見た場合、透明ディスプレイ１０の端面が見える範囲が狭くなるので、少なくとも一辺に枠を設けることなく、表示ディスプレイ１０の端面発光が目立ちにくくすることができる。
【００３０】
また、透明ディスプレイ１０の側面１４と側面１４と対向する保護カバー２０の端面カバー部２２の内側面２１１との隙間Ｂは、透明ディスプレイ１０の表示面１５側（図６など紙面上側）に比べて、表示面１５の裏面１６側（図６など紙面下側）の方が広くなっていると好ましい。このようにすることによって、透明表示装置１００の視認面側から透明ディスプレイ１０の端面が見える範囲をより一層狭くできるので好ましい。
【００３１】
また、このような関係の隙間を持たせるためには、図６に示す変形例１のように、透明ディスプレイ１０の側面１４と対向する保護カバー２０の端面カバー部２２は、透明ディスプレイ１０の表示面１５側から表示面１５の裏面１６側の方に向かって傾斜するようにしてもよい。つまり、保護カバー２０は、表示面カバー部２１（の内側面２１１）と端面カバー部２２（の内側面２２１）とのなす角度が９０度より大きくなるように形成されている。このようにすることによって、透明表示装置１００の視認面側から透明ディスプレイ１０の端面が見える範囲をより一層狭くできるので好ましい。
【００３２】
また、上述のような関係の隙間を持たせるためには、図７に示す変形例２のように、カバーガラス１１２の側面１４１と保護カバー２０の端面カバー部２２の内側面２１１との隙間に比べて、ガラス基板１１３の側面１４２と保護カバー２０の端面カバー部２２の内側面２１１との隙間の方が広くなるようにする。このようにすることによっても、透明表示装置１００の視認面側から透明ディスプレイ１０の端面が見える範囲をより一層狭くできるので好ましい。
【００３３】
またこのような効果は、ユーザが、側面１４よりも外側の位置から、表示面１５を見ようとした場合、すなわちユーザの視点が「側面１４よりも外側」かつ「表示面カバー部よりも外側」の領域に存在する場合に顕著である。
【図面の簡単な説明】
【００３４】
【図１】本発明の実施の形態における透明表示装置の概略構成を示す斜視である。
【図２】本発明の実施の形態におけるＥＬ表示部の概略構成を示す斜視図である。
【図３】本発明の実施の形態におけるカバー部材の概略構成を示す斜視図である。
【図４】本発明の実施の形態における透明表示装置の部分断面図である。
【図５】本発明の実施の形態における透明表示装置の部分断面図である。
【図６】本発明の変形例１における透明表示装置の部分断面図である。
【図７】本発明の変形例２における透明表示装置の部分断面図である。
【図８】比較例における透明表示装置の部分断面図である。
【符号の説明】
【００３５】
１０  透明ディスプレイ、１１，１２，１３，１４  側面、１５  表示面、１５１  表示領域、１６  裏面、１１１  発光層、１１２  カバーガラス、１１３  ガラス基板、２０  保護カバー、２１  表示面カバー部（平面部）、２１１  内側面、２２  端面カバー部（側面部）、２２１  内側面、３１〜３３  枠部材、１００  透明表示装置
【図１】
0005067237.tif 000002
【図２】
0005067237.tif 000003
【図３】
0005067237.tif 000004
【図４】
0005067237.tif 000005
【図５】
0005067237.tif 000006
【図６】
0005067237.tif 000007
【図７】
0005067237.tif 000008
【図８】
0005067237.tif 000009